(57)【要約】      （修正有）【課題】補強効果を向上させた緩衝体を提供する。【解決手段】緩衝体２は、一端に第１の開口部21、他端に第２の開口部22、この第２の開口部22と第１の開口部21とに連通する通路を備えた緩衝体２であって、第１の開口部21の縁部である第１の開口縁部Ｆ1と第２の開口部22の縁部である第２の開口縁部Ｆ2とは、略平行な位置関係にあり、緩衝体２の通路を横断するように設けられ緩衝体２に当接して支持される第１の剛性体４とを有するものである。【選択図】図４
2005001758.tif 000002
【特許請求の範囲】
【請求項１】
一端に第１の開口部、他端に第２の開口部、この第２の開口部と前記第１の開口部とに連通する通路を備えた緩衝体であって、
前記第１の開口部の縁部である第１の開口縁部と前記第２の開口部の縁部である第２の開口縁部とは、略平行な位置関係にあり、
前記緩衝体の前記通路を横断するように設けられ、前記緩衝体に当接して支持される第１の剛性体とを有する
ことを特徴とする緩衝体。
【請求項２】
一端に第１の開口部、他端に第２の開口部、この第２の開口部と前記第１の開口部とに連通する通路を備えた緩衝体であって、
前記第１の開口部の縁部である第１の開口縁部と前記第２の開口部の縁部である第２の開口縁部とは、略平行な位置関係にあり、
前記第２の開口部を横断するように、前記緩衝体に設けられた剛性体用ストッパ−体と、
前記緩衝体の前記通路を横断すると共に、前記緩衝体と前記剛性体用ストッパ−体とに当接して支持される第１の剛性体とを有する
ことを特徴とする緩衝体。
【請求項３】
緩衝体は、対向するシ−トの間に空気を内在し、
第１の開口縁部及び第２の開口縁部に略平行で、対向する前記シ−トを連続的又は不連続的に直線状に付着してなる第１の付着部と、
この第１の付着部に第１の剛性体の周縁が当接して支持されていることを特徴とする請求項１記載の緩衝体。
【請求項４】
一端に第１の開口部、他端に第２の開口部、この第２の開口部と前記第１の開口部とに連通する第１の通路を備えた第１の緩衝体と、
前記第１の開口部の縁部である第１の開口縁部と前記第２の開口部の縁部である第２の開口縁部とは、略平行な位置関係にあり、
前記第１の緩衝体は、対向するシ−トの間に空気を内在し、
前記第１の開口縁部及び前記第２の開口縁部に略平行で、対向する前記シ−トを連続的又は不連続的に直線状に付着してなる第１の付着部と、
前記第１の通路を横断し、前記第１の付着部に周縁が当接して支持される第１の剛性体と、
一端に第１’の開口部、他端に第２’の開口部、この第２’の開口部と前記第１’の開口部とに連通する第１’の通路を備えた第１’の緩衝体と、
前記第１’の開口部の縁部である第１’の開口縁部と前記第２’の開口部の縁部である第２’の開口縁部とは、略平行な位置関係にあり、
前記第１’の緩衝体は、対向するシ−トの間に空気を内在し、
前記第１’の開口縁部及び前記第２’の開口縁部に略平行で、対向する前記シ−トを連続的又は不連続的に直線状に付着してなる第１’の付着部と、
前記第１’の通路を横断し、前記第１’の付着部に周縁が当接して支持される第１’の剛性体と、
前記第１の剛性体は、被包装体の一端に係止する第１の被係止部を有し、
前記第１’の剛性体は、前記被包装体の他端に係止する第１’の被係止部を有し、
前記被包装体は、一端を前記第１の付着部に周縁が当接して支持される前記第１の剛性体の前記第１の被係止部に、他端を前記第１’の付着部に周縁が当接して支持される前記第１’の剛性体の前記第１’の被係止部に、それぞれ係止した状態で、包装箱内に収納されている
ことを特徴とする包装装置。
【請求項５】
第１の通路を横断して第１の緩衝体に当接して支持されると共に、第１の被係止部で係止されて第１の剛性体で支持された被包装体の一方の端部に対向するように設けられ、前記第１の被係止部で係止されて前記第１の剛性体で支持された前記被包装体の移動を阻止する被包装体用第１のストッパ−体と、
第１’の通路を横断して第１’の緩衝体に当接して支持されると共に、第１’の被係止部で係止されて第１’の剛性体で支持された前記被包装体の他方の端部に対向するように設けられ、前記第１’の被係止部で係止されて前記第１’の剛性体で支持された前記被包装体の移動を阻止する被包装体用第１’のストッパ−体とを有する
ことを特徴とする請求項４記載の包装装置。
【請求項６】
第１の通路を横断して第１の緩衝体に当接して支持されると共に、第１の被係止部で係止されて第１の剛性体で支持された被包装体の一方の端部に対向するように設けられ、前記第１の被係止部で係止されて前記第１の剛性体で支持された前記被包装体の移動を阻止する被包装体用第１のストッパ−体とを有する
ことを特徴とする請求項４記載の包装装置。
【請求項７】
包装箱は略直方体形状で、前記包装箱の一方側に第１の緩衝体が、前記包装箱の他方側に第１’の緩衝体が、それぞれ位置し、
第１の開口縁部、第２の開口縁部、第１’の開口縁部及び第２’の開口縁部は略矩形形状で、
第１の緩衝体の外周壁は、第１の外周底面と、この第１の外周底面に対向する第１の外周天井面と、この第１の外周天井面と前記第１の外周底面とを接続する第１の外周右側面、第１の外周左側面とを有し、
第１’の緩衝体の外周壁は、第１’の外周底面と、この第１’の外周底面に対向する第１’の外周天井面と、この第１’の外周天井面と前記第１’の外周底面とを接続する第１’の外周右側面、第１’の外周左側面とを有し、
前記包装箱の一方側の内壁に前記第１の緩衝体の外周壁が、前記包装箱の他方側の内壁に前記第１’の緩衝体の外周壁が、それぞれ当接し、
前記被包装体は、前記包装箱の内壁に接触しないように、一端を第１の剛性体の第１の被係止部に、他端を第１’の第１’の被係止部に、それぞれ係止され、前記包装箱内に収納されている
ことを特徴とする請求項４記載の包装装置。
【発明の詳細な説明】
【０００１】
本発明は、緩衝体及び包装装置に係り、特に、補強効果を向上させた緩衝体及び包装装置に関する。
【０００２】
【従来の技術】
従来、包装に使用される空気入り緩衝材、例えば、被包装体の周囲を空気入り緩衝材で被覆し、被包装体を外力等から保護している（特許文献１参照）。
この空気入り緩衝材は、外力等を受けた場合、空気入り緩衝材が変形し、外力等が被包装体に直接作用しないようにして被包装体を保護するようにしている。
◎
【特許文献１】
特開２００３−１３７３５２号公報
【発明が解決しようとする課題】
しかしながら、外力等を受けた場合、空気入り緩衝材を介して被包装体に作用するため、補強効果の点において、改善の余地が生じた。
本発明は、上述した問題点を改善するようにした緩衝体及び包装装置を提供するものである。
【０００３】
【課題を解決するための手段】
上記目的を達成するために、請求項１記載の緩衝体は、一端に第１の開口部、他端に第２の開口部、この第２の開口部と前記第１の開口部とに連通する通路を備えた緩衝体であって、前記第１の開口部の縁部である第１の開口縁部と前記第２の開口部の縁部である第２の開口縁部とは、略平行な位置関係にあり、前記緩衝体の前記通路を横断するように設けられ、前記緩衝体に当接して支持される第１の剛性体とを有するものである。
【０００４】
また、請求項２記載の緩衝体は、一端に第１の開口部、他端に第２の開口部、この第２の開口部と前記第１の開口部とに連通する通路を備えた緩衝体であって、前記第１の開口部の縁部である第１の開口縁部と前記第２の開口部の縁部である第２の開口縁部とは、略平行な位置関係にあり、前記第２の開口部を横断するように、前記緩衝体に設けられた剛性体用ストッパ−体と、前記緩衝体の前記通路を横断すると共に、前記緩衝体と前記剛性体用ストッパ−体とに当接して支持される第１の剛性体とを有するものである。
【０００５】
また、請求項３記載の包装装置は、請求項１記載の緩衝体において、緩衝体は、対向するシ−トの間に空気を内在し、第１の開口縁部及び第２の開口縁部に略平行で、対向する前記シ−トを連続的又は不連続的に直線状に付着してなる第１の付着部と、この第１の付着部に第１の剛性体の周縁が当接して支持されているものである。
【０００６】
また、請求項４記載の包装装置は、一端に第１の開口部、他端に第２の開口部、この第２の開口部と前記第１の開口部とに連通する第１の通路を備えた第１の緩衝体と、前記第１の開口部の縁部である第１の開口縁部と前記第２の開口部の縁部である第２の開口縁部とは、略平行な位置関係にあり、前記第１の緩衝体は、対向するシ−トの間に空気を内在し、前記第１の開口縁部及び前記第２の開口縁部に略平行で、対向する前記シ−トを連続的又は不連続的に直線状に付着してなる第１の付着部と、前記第１の通路を横断し、前記第１の付着部に周縁が当接して支持される第１の剛性体と、一端に第１’の開口部、他端に第２’の開口部、この第２’の開口部と前記第１’の開口部とに連通する第１’の通路を備えた第１’の緩衝体と、前記第１’の開口部の縁部である第１’の開口縁部と前記第２’の開口部の縁部である第２’の開口縁部とは、略平行な位置関係にあり、前記第１’の緩衝体は、対向するシ−トの間に空気を内在し、前記第１’の開口縁部及び前記第２’の開口縁部に略平行で、対向する前記シ−トを連続的又は不連続的に直線状に付着してなる第１’の付着部と、前記第１’の通路を横断し、前記第１’の付着部に周縁が当接して支持される第１’の剛性体と、前記第１の剛性体は、被包装体の一端に係止する第１の被係止部を有し、前記第１’の剛性体は、前記被包装体の他端に係止する第１’の被係止部を有し、前記被包装体は、一端を前記第１の付着部に周縁が当接して支持される前記第１の剛性体の前記第１の被係止部に、他端を前記第１’の付着部に周縁が当接して支持される前記第１’の剛性体の前記第１’の被係止部に、それぞれ係止した状態で、包装箱内に収納されているものである。
【０００７】
また、請求項５記載の包装装置は、請求項４記載の包装装置において、第１の通路を横断して第１の緩衝体に当接して支持されると共に、第１の被係止部で係止されて第１の剛性体で支持された被包装体の一方の端部に対向するように設けられ、前記第１の被係止部で係止されて前記第１の剛性体で支持された前記被包装体の移動を阻止する被包装体用第１のストッパ−体と、第１’の通路を横断して第１’の緩衝体に当接して支持されると共に、第１’の被係止部で係止されて第１’の剛性体で支持された前記被包装体の他方の端部に対向するように設けられ、前記第１’の被係止部で係止されて前記第１’の剛性体で支持された前記被包装体の移動を阻止する被包装体用第１’のストッパ−体とを有するものである。
【０００８】
また、請求項６記載の包装装置は、請求項４記載の包装装置において、第１の通路を横断して第１の緩衝体に当接して支持されると共に、第１の被係止部で係止されて第１の剛性体で支持された被包装体の一方の端部に対向するように設けられ、前記第１の被係止部で係止されて前記第１の剛性体で支持された前記被包装体の移動を阻止する被包装体用第１のストッパ−体とを有するものである。
【０００９】
また、請求項７記載の包装装置は、請求項４記載の包装装置において、包装箱は略直方体形状で、前記包装箱の一方側に第１の緩衝体が、前記包装箱の他方側に第１’の緩衝体が、それぞれ位置し、第１の開口縁部、第２の開口縁部、第１’の開口縁部及び第２’の開口縁部は略矩形形状で、第１の緩衝体の外周壁は、第１の外周底面と、この第１の外周底面に対向する第１の外周天井面と、この第１の外周天井面と前記第１の外周底面とを接続する第１の外周右側面、第１の外周左側面とを有し、第１’の緩衝体の外周壁は、第１’の外周底面と、この第１’の外周底面に対向する第１’の外周天井面と、この第１’の外周天井面と前記第１’の外周底面とを接続する第１’の外周右側面、第１’の外周左側面とを有し、前記包装箱の一方側の内壁に前記第１の緩衝体の外周壁が、前記包装箱の他方側の内壁に前記第１’の緩衝体の外周壁が、それぞれ当接し、前記被包装体は、前記包装箱の内壁に接触しないように、一端を第１の剛性体の第１の被係止部に、他端を第１’の第１’の被係止部に、それぞれ係止され、前記包装箱内に収納されているものである。
【００１０】
【実施例】
本発明の一実施例の緩衝体及び包装装置を図面を参照して説明する。
１は略直方体形状の包装箱で、包装箱１内の一方側に緩衝体（第１の緩衝体２）が、包装箱１内の他方側に緩衝体（第１’の緩衝体２’）が、それぞれ位置している。３は被包装体で、被包装体３は、被包装体３、そのままでも良いが、望ましくは、周囲を図示のように袋で被覆されている。
そして、被包装体３は、一端を第１の剛性体４の第１の被係止部４１（例えば、孔）に、他端を第１’の剛性体４’の第１’の被係止部４１’（例えば、孔）に、それぞれ係止するようにし、包装箱１内に収納されている（図１乃至図５参照）。
【００１１】
なお、後述するように、緩衝体（第１の緩衝体２又は第２の緩衝体２’）は、対向するシ−トの間に空気を内在したものであり、第１の付着部２５（又は第１’の付着部２５’）は、第１の開口部２１の縁部である第１の開口縁部Ｆ１  （又は第１’の開口縁部Ｆ１  ’）及び第２の開口部２２の縁部である第２の開口縁部Ｆ２  （又は第２’の開口縁部Ｆ２  ’）に略平行で、対向する前記シ−トを連続的又は不連続的に直線状に付着したものである（図５参照）。
第１の剛性体４（又は第１’の剛性体４’）の周縁は、望ましくは、第１の付着部２５（又は第１’の付着部２５’）に当接させて支持することができるため、第１の剛性体４（又は第１’の剛性体４’）を空気を内在した緩衝体（第１の緩衝体２又は第２の緩衝体２’）に簡易に取り付けることができ、しかも、緩衝体（第１の緩衝体２又は第２の緩衝体２’）の第１の通路２３（又は第１’の通路２３’）を横断する方向に力が作用しても、該力の一部を第１の剛性体４（又は第１’の剛性体４’）で支持するため、空気入りの緩衝体（第１の緩衝体２又は第２の緩衝体２’）の補強効果を向上させることができる。
【００１２】
上述の実施例においては、第１の剛性体４（又は第１’の剛性体４’）の周縁を第１の付着部２５（又は第１’の付着部２５’）に当接させて支持させたが、本願発明にあっては、これに限らず、例えば、図６、７に示すように、第１の剛性体４（又は第１’の剛性体４’）は、緩衝体（第１の緩衝体２又は第２の緩衝体２’）の第１の通路２３（又は第１’通路２３’）を横断するように設けられ、緩衝体（第１の緩衝体２又は第２の緩衝体２’）に当接して支持されるようにしても良い。
また、図７（ａ）は、緩衝体（第１の緩衝体２又は第２の緩衝体２’）に空気が封入される前の状態を、図７（ｂ）は、緩衝体（第１の緩衝体２又は第２の緩衝体２’）に空気が封入された状態を、それぞれ示している。
【００１３】
また、上述した緩衝体（第１の緩衝体２又は第２の緩衝体２’）は、図８乃至図１０に示すものと同様に、一端に第１の開口部２１（又は第１’の開口部２１’）、他端に第２の開口部２２（又は第２’の開口部２２’）、この第２の開口部２２（又は第２’の開口部２２’）と第１の開口部２１（又は第１’の開口部２１’）とに連通する第１の通路２３（又は第１’の通路２３’）を備えたもので、言い換えれば、第１の通路２３（又は第１’の通路２３’）、第１の開口部２１（又は第１’の開口部２１’）及び第２の開口部２２（又は第２’の開口部２２’）を囲むように形成されたものである。そして、第１の開口部２１（又は第１’の開口部２１’）の縁部である第１の開口縁部Ｆ１  （又は第１’の開口縁部Ｆ１  ’）と第２の開口部２２（又は第２’の開口部２２’）の縁部である第２の開口縁部Ｆ２  （又は第２’の開口縁部Ｆ２  ’）とは、略平行な位置関係にある。
【００１４】
Ｓは、第２の開口部２２（又は第２’の開口部２２’）を横断するように設けられた剛性体用ストッパ−体で、剛性体用ストッパ−体Ｓは、緩衝体（第１の緩衝体２又は第２の緩衝体２’）に付着（例えば、溶着）されている。剛性体用ストッパ−体Ｓは、図１０に示すように、第２の開口部２２（又は第２’の開口部２２’）を全体に亙って塞いでも良いし、図１１に示すように、第２の開口部２２（又は第２’の開口部２２’）の一部を塞いでも良い。なお、第１の剛性体４（又は第１’の剛性体４’）は、緩衝体（第１の緩衝体２又は第２の緩衝体２’）の第１の通路２３（又は第１’の通路２３’）を横断すると共に、緩衝体（第１の緩衝体２又は第２の緩衝体２’）と剛性体用ストッパ−体Ｓとに当接して支持される（図１１参照）。
【００１５】
また、本実施例で示す第１の開口部２１（又は第１’の開口部２１’）で形成される平面形状である第１の開口平面部（又は第１’の開口平面部）は、例えば、略矩形形状（又は、三角形、円等でも良い。）で、第２の開口部２２（又は第２’の開口部２２’）で形成される平面形状である第２の開口平面部（又は第２’の開口平面部）は、例えば、略矩形形状（又は、三角形、円等でも良い。）で、第２の開口部２２（又は第２’の開口部２２’）である。
この緩衝体（第１の緩衝体２又は第２の緩衝体２’）の外周壁は、例えば、図１に示すように、外周底面（第１の外周底面Ａ又は第１’の外周底面Ａ’）と、この外周底面（第１の外周底面Ａ又は第１’の外周底面Ａ’）に対向する外周天井面（第１の外周天井面Ｂ又は第１の外周天井面Ｂ’）と、この外周天井面（第１の外周天井面Ｂ又は第１の外周天井面Ｂ’）と外周底面（第１の外周底面Ａ又は第１’の外周底面Ａ’）とを接続する外周右側面（第１の外周右側面Ｃ又は第１’の外周右側面Ｃ’）、外周左側面（第１の外周左側面Ｄ又は第１’の外周左側面Ｄ’）とを有している。
【００１６】
そして、包装箱１の一方側の内壁に第１の緩衝体２の外周壁が、包装箱１の他方側の内壁に第１’の緩衝体２’の外周壁が、それぞれ当接すると共に、被包装体３は、包装箱１の内壁に接触しないように、一端を第１の剛性体４の第１の被係止部４１に、他端を第１’の剛性体４’の第１’の被係止部４１’に、それぞれ係止され、包装箱１内に収納されている。
【００１７】
従って、包装箱１の一方側の内壁に第１の緩衝体２の外周壁が、包装箱１の他方側の内壁に第１’の緩衝体２’の外周壁が、それぞれ当接し、被包装体３は、包装箱１の内壁及び第１、第１’の緩衝体２、２’に接触しないように、一端を第１の剛性体４の第１の被係止部４１に、他端を第１’の剛性体４’の第１’の被係止部４１’に、それぞれ係止され、包装箱１内に収納されているため、被包装体３を簡易に包装でき、しかも、外力から被包装体３をより保護することができる。
【００１８】
なお、上述した緩衝体（第１の緩衝体２又は第２の緩衝体２’）によれば、緩衝体（第１の緩衝体２又は第２の緩衝体２’）の第１の通路２３（又は第１’の通路２３’）を横断する方向に力が作用しても、該力の一部を剛性体（第１の剛性体４又は第１’の剛性体４’）で支持するため、（第１の緩衝体２又は第２の緩衝体２’）の補強効果を向上させることができる。
【００１９】
また、緩衝体（第１の緩衝体２又は第２の緩衝体２’）は、対向するシ−トの間に空気を内在し、柔軟性を有したものであり、該シ−トの材質は、例えば、ポリエチレンである。
また、第１の開口部２１（又は第１’の開口部２１’）の縁部は緩衝体（第１の緩衝体２又は第２の緩衝体２’）の第１の開口縁部Ｆ１  （又は第１’の開口縁部Ｆ１  ’）であり、第２の開口部２２（又は第２’の開口部２２’）の縁部は緩衝体（第１の緩衝体２又は第２の緩衝体２’）の第２の開口縁部Ｆ２  （又は第２’の開口縁部Ｆ２  ’）である。
そして、第１の開口縁部Ｆ１  （又は第１’の開口縁部Ｆ１  ’）及び第２の開口縁部Ｆ２  （又は第２’の開口縁部Ｆ２  ’）に略平行で、対向するシ−トを連続的又は不連続的に直線状に付着してなる第１の付着部２５（又は第１’の付着部２５’）が形成されている。付着は、接着でも良いが、溶着が望ましい。
この第１の付着部２５（又は第１’の付着部２５’）に剛性体（第１の剛性体４又は第１’の剛性体４’）の周縁が当接して支持されている。なお、剛性体（第１の剛性体４又は第１’の剛性体４’）は、例えば、ダンボ−ル、プラスチック、プラ段（ダンボ−ルを樹脂化したもの）等で形成される。
【００２０】
その結果、緩衝体（第１の緩衝体２又は第２の緩衝体２’）によれば、剛性体（第１の剛性体４又は第１’の剛性体４’）の周縁を第１の付着部２５（又は第１の付着部２５’）に当接させて剛性体（第１の剛性体４又は第１’の剛性体４’）を空気を内在した緩衝材体（第１の緩衝体２又は第２の緩衝体２’）に簡易に取り付けることができる。
【００２１】
なお、上述した実施例においては、特に、図２に示すように、被包装体３の端部がそれぞれ突出している場合、好適であるが、図１２及び図１３に示すような、被包装体３の端部がそれぞれ突出していない場合、被包装体３が水平方向に移動する可能性がある。
かかる場合に対応した実施例を図１２及び図１３を参照して説明する。
Ｓ１  は被包装体用第１のストッパ−体で、被包装体用第１のストッパ−体Ｓ１  は、第１の通路２３を横断して第１の緩衝体２に当接して支持されると共に、第１の被係止部４１で係止されて第１の剛性体４で支持された被包装体３の一方の端部に対向するように設けられ（例えば、第１の通路２３を横断して遮蔽するように設けられ）、第１の被係止部４１で係止されて第１の剛性体４で支持された被包装体３の移動を阻止するものである。
【００２２】
なお、図１２及び図１３の第１の緩衝体２は、上述の第１の緩衝体２と同様で、被包装体用第１のストッパ−体Ｓ１  の当接して支持される部分として、第１の開口縁部Ｆ１  及び第２の開口縁部Ｆ２  に略平行で、対向するシ−トを連続的又は不連続的に直線状に付着してなる第２の付着部２６が形成されている。被包装体３に向かって、逐次、第２の開口縁部Ｆ２  、第２の付着部２６、第１の付着部２５、第１の開口縁部Ｆ１  の順となる位置関係となっている。
【００２３】
また、Ｓ１  ’は被包装体用第２のストッパ−体で、被包装体用第２のストッパ−体Ｓ１  ’は、第１’の通路２３’を横断して第１’の緩衝体２’に当接して支持されると共に、第１’の被係止部４１’で係止されて第１’の剛性体４’で支持された被包装体３の他方の端部に対向するように設けられ（例えば、第１’の通路２３’を横断して遮蔽するように設けられ）、第１’の被係止部４１’で係止されて第１’の剛性体４’で支持された被包装体３の移動を阻止するものである。
【００２４】
なお、図１２及び図１３の第１’の緩衝体２’は、上述の第１’の緩衝体２’と同様で、被包装体用第１’のストッパ−体Ｓ１  ’の当接して支持される部分として、第１’の開口縁部Ｆ１  ’及び第２の開口縁部Ｆ２  ’に略平行で、対向するシ−トを連続的又は不連続的に直線状に付着してなる第２’の付着部２６’が形成されている。被包装体３に向かって、逐次、第２’の開口縁部Ｆ２  ’、第２’の付着部２６’、第１’の付着部２５’、第１’の開口縁部Ｆ１  ’の順となる位置関係となっている。被包装体用第１のストッパ−体Ｓ１  、被包装体用第１’のストッパ−体Ｓ１  ’は、第１の剛性体４と同様な材質で形成されている。
【００２５】
また、図１４及び図１５に示すような、被包装体３の一方が突出せず、他方の端部のみが突出する場合は、被包装体３の一方を上述した被包装体用第１のストッパ−体Ｓ１  、第１の剛性体４を有する第１の緩衝体２（図１２参照）で、被包装体３の他方を上述した第１’の剛性体４’を有する第１’の緩衝体２’（図２参照）で対応することができる（図１４及び図１５参照）。
【００２６】
上述した緩衝体（第１の緩衝体２又は第１’の緩衝体２’）は、例えば、図１６に示す矩形形状のシ−ト状部材Ｓ１  ”と矩形形状のシ−ト状部材Ｓ２  ”との間に逆止弁の機能を有する緩衝体（第１の緩衝体２又は第１’の緩衝体２’）に空気を入れる通路Ｔを位置させる。
なお、二枚の矩形形状のシ−ト状部材Ｓ１  ”、矩形形状のシ−ト状部材Ｓ２  ”の代わりに一枚の矩形形状のシ−ト状部材（図示せず）を折り返して形成しても良い。
【００２７】
次に、シ−ト状部材Ｓ１  ”、通路Ｔ、シ−ト状部材Ｓ２  ”と重ね、図１７に示すように、シ−ト状部材Ｓ１  ”、Ｓ２  ”の周縁を付着（例えば、溶着）すると共に、矩形形状のシ−ト状部材Ｓ１  ”、Ｓ２  ”の長辺に略平行で、矩形形状の矩形形状のシ−ト状部材Ｓ１  ”、Ｓ２  ”の中央を横断するように、対向するシ−ト状部材Ｓ１  ”、Ｓ２  ”を連続的又は不連続的に直線状に付着（例えば、溶着）させて第１の付着部２５（又は第１’の付着部２５’）を形成する。又、第１の付着部２５（又は第１’の付着部２５’）に略直交し、矩形形状のシ−ト状部材Ｓ１  ”、Ｓ２  ”の短辺に略平行に、対向するシ−ト状部材Ｓ１  ”、Ｓ２  ”を連続的又は不連続的に直線状に付着（例えば、溶着）させて第２の付着部２６（又は第２’の付着部２６’）、第３の付着部２７（又は第３’の付着部２７’）を形成する。
【００２８】
なお、シ−ト状部材Ｓ１  ”、Ｓ２  ”の周縁の付着、第１の付着部２５（又は第１’の付着部２５’）、第２の付着部２６（又は第２’の付着部２６’）、第３の付着部２７（又は第３’の付着部２７’）は、例えば、同時に溶着させて形成する。
そして、通路Ｔより空気を緩衝体（第１の緩衝体２又は第２の緩衝体２’）内に入れ、第１の付着部２５（又は第１’の付着部２５’）、第２の付着部２６（又は第２’の付着部２６’）より折曲し、剛性体（第１の剛性体４又は第１’の剛性体４’）を第１の付着部２５（又は第１’の付着部２５’）に当接させ、第３の付着部２７（又は第３’の付着部２７’）を折曲し、折曲した状態を保持するために、例えば、粘着テ−プ１０で、第１の外周底面Ａ（又は第１’の外周底面Ａ’）と第１の外周左側面Ｄ（又は第１’の外周左側面Ｄ’）が離間しないように、第１の外周底面Ａ（又は第１’の外周底面Ａ’）と第１の外周左側面Ｄ（又は第１’の外周左側面Ｄ’）に跨がるように設ける。
【００２９】
なお、本実施例においては、緩衝体（第１の緩衝体２又は第２の緩衝体２’）を粘着テ−プ１０で、第１の外周底面Ａ（又は第１’の外周底面Ａ’）と第１の外周左側面Ｄ（又は第１’の外周左側面Ｄ’）が離間しないように、第１の外周底面Ａ（又は第１’の外周底面Ａ’）と第１の外周左側面Ｄ（又は第１’の外周左側面Ｄ’）に跨がるように設けたが、本願発明にあっては、これに限らず、第１の外周底面Ａ（又は第１’の外周底面Ａ’）と第１の外周左側面Ｄ（又は第１’の外周左側面Ｄ’）とが対向する辺を付着（例えば、溶着）させて、一体物としても良い。
その際、緩衝体（第１の緩衝体２又は第２の緩衝体２’）は、ある程度弾性を有するから、剛性体（第１の剛性体４又は第１’の剛性体４’）の周縁を第１の付着部２５（又は第１の付着部２５’）に当接させて剛性体（第１の剛性体４又は第１’の剛性体４’）を空気を内在した緩衝材体（第１の緩衝体２又は第２の緩衝体２’）に取り付けることができる。
【００３０】
【発明の効果】
請求項１又は２記載の緩衝体によれば、緩衝体の通路を横断する方向に力が作用しても、該力の一部を第１の剛性体で支持するため、緩衝体の補強効果を向上させることができる。
【００３１】
また、請求項３記載の緩衝体によれば、前述した請求項１記載の発明の効果に加え、第１の開口縁部及び第２の開口縁部に略平行で、対向するシ−トを連続的又は不連続的に直線状に付着してなる第１の付着部に第１の剛性体の周縁を当接させて支持させることができるため、空気を内在した緩衝体に第１の剛性体を簡易に取り付けることができる。
【００３２】
また、請求項４、５又は６記載の包装装置によれば、第１、第１’の剛性体の周縁を第１、第１’の付着部に当接させて支持させることができるため、第１、第１’の剛性体を空気を内在した緩衝体に簡易に取り付けることができ、しかも、第１、第１’の緩衝体の第１、第１’の通路を横断する方向に力が作用しても、該力の一部を第１、第１’の剛性体で支持するため、空気入りの第１、第１’の緩衝体の補強効果を向上させて包装装置の強度を向上させることができる。
【００３３】
また、請求項７記載の包装装置によれば、前述した請求項４、５又は６記載の発明の効果に加え、包装箱の一方側の内壁に第１の緩衝体の外周壁が、包装箱の他方側の内壁に第１’の緩衝体の外周壁が、それぞれ当接し、被包装体は、包装箱の内壁及び第１、第１’の緩衝体に接触しないように、一端を第１の剛性体の第１の被係止部に、他端を第１’の剛性体の第１’の被係止部に、それぞれ係止され、包装箱内に収納されているため、被包装体を簡易に包装でき、しかも、外力から被包装体をより保護することができる。
【図面の簡単な説明】
【図１】本発明の一実施例の包装装置の概略的分解斜視図である。
【図２】図１の一部を分解して示す概略的分解斜視図である。
【図３】図１の被包装体を包装箱内に組み込んだ状態の概略的断面図である。
【図４】図１の緩衝体の概略的斜視図である。
【図５】図４の緩衝体の概略的断面図である。
【図６】図１の緩衝体と異なる他の実施例の緩衝体を示す概略的斜視図である。
【図７】（ａ）は、空気を入れる前の図６の緩衝体の概略的断面図であり、（ｂ）は、空気を入れた状態の図６の緩衝体の概略的断面図である。
【図８】図６の緩衝体と異なる他の実施例の緩衝体を分解して示す概略的分解斜視図である。
【図９】図８の緩衝体の概略的断面図である。
【図１０】図９の緩衝体を第２の開口部側から見た概略的斜視図である。
【図１１】図１０の緩衝体と異なる他の実施例の緩衝体を第２の開口部側から見た概略的斜視図である。
【図１２】図２と異なる包装装置の概略的分解斜視図である。
【図１３】図１２の被包装体を包装箱内に組み込んだ状態の概略的断面図である。
【図１４】図１２と異なる包装装置の概略的分解斜視図である。
【図１５】図１４の被包装体を包装箱内に組み込んだ状態の概略的断面図である。
【図１６】図５の緩衝体の製造工程を示す概略的斜視図である。
【図１７】図１６の緩衝体の付着工程を示す概略的正面図である。
【図１８】図１７の緩衝体に空気を入れ、剛性体の装着状態を示す概略的斜視図である。
【符号の説明】
２・・・緩衝体，２１・・・第１の開口部，２２・・・第２の開口部，２３・・・通路，４・・・第１の剛性体
【図１】
2005001758.tif 000003
【図２】
2005001758.tif 000004
【図３】
2005001758.tif 000005
【図４】
2005001758.tif 000006
【図５】
2005001758.tif 000007
【図６】
2005001758.tif 000008
【図７】
2005001758.tif 000009
【図８】
2005001758.tif 000010
【図９】
2005001758.tif 000011
【図１０】
2005001758.tif 000012
【図１１】
2005001758.tif 000013
【図１２】
2005001758.tif 000014
【図１３】
2005001758.tif 000015
【図１４】
2005001758.tif 000016
【図１５】
2005001758.tif 000017
【図１６】
2005001758.tif 000018
【図１７】
2005001758.tif 000019
【図１８】
2005001758.tif 000020